(57)【要約】【課題】  積算枚数をユーザ毎に確実に管理する。【解決手段】  制御部１１のＨＤＤ１１２は、処理枚数情報をユーザＩＤと対応付けて格納する枚数記憶部１１２ｂを備え、制御部１１のＣＰＵ１１１は、ユーザＩＤを受け付けるユーザ受付部１１１ａと、サーバ装置５と通信可能な状態であるか否かを判定する通信可否判定部１１１ｂと、画像処理が実行された枚数である処理枚数情報をユーザＩＤと対応付けて枚数記憶部１１２ｂに格納する枚数処理部１１１ｆと、枚数記憶部１１２ｂに格納された処理枚数情報をユーザＩＤと対応付けてサーバ装置５へ送信する枚数送信部１１１ｇとを備えている。【選択図】      図３
2007018123.tif 000002
【特許請求の範囲】
【請求項１】
画像処理が実行された枚数の積算値である積算枚数をユーザ毎に管理するサーバ装置と通信可能に接続された、所定の画像処理を実行する画像処理装置であって、
ユーザを識別する情報であるユーザ識別情報を受け付けるユーザ受付手段と、
前記サーバ装置と通信可能な状態であるか否かを判定する通信判定手段と、
画像処理が実行された枚数である処理枚数情報を前記ユーザ識別情報と対応付けて格納する枚数記憶手段と、
前記サーバ装置と通信可能な状態ではないと判定された場合に、前記処理枚数情報を前記ユーザ識別情報と対応付けて枚数記憶手段に格納する枚数処理手段と、
前記サーバ装置と通信可能な状態であると判定された場合に、前記枚数記憶手段に格納された処理枚数情報を前記ユーザ識別情報と対応付けて前記サーバ装置へ送信する枚数送信手段とを備えることを特徴とする画像処理装置。
【請求項２】
前記サーバ装置と通信可能な状態であると判定された場合に、前記サーバ装置から前記ユーザ識別情報に対応する積算枚数情報を取得して、前記枚数記憶手段に前記ユーザ識別情報と対応付けて格納する枚数取得手段と、
画像処理の実行の指示に応じて画像処理が実行される枚数に関連する実行枚数関連情報を受け取る処理受取手段と、
前記積算枚数と前記実行枚数関連情報である枚数との加算値が所定の上限枚数より大きいか否かを判定し、前記所定の上限枚数より大きいと判定された場合に、前記画像処理の実行を禁止する禁止手段とを備えることを特徴とする請求項１に記載の画像処理装置。
【請求項３】
前記サーバ装置は、前記ユーザ識別情報毎に予め設定され、画像処理の実行を許可する積算枚数の上限値である個別上限枚数情報を有し、
前記枚数取得手段は、前記サーバ装置から前記ユーザ識別情報に対応する前記個別上限枚数情報を取得して、取得された個別上限枚数情報を前記ユーザ識別情報と対応付けて枚数記憶手段に格納し、
前記禁止手段は、前記所定の上限枚数として、前記個別上限枚数情報を用いることを特徴とする請求項２に記載の画像処理装置。
【請求項４】
前記禁止手段は、前記サーバ装置と通信可能な状態ではないと判定された場合に、前記ユーザ識別情報が前記枚数記憶手段に格納されているか否かを判定し、格納されていない場合には、前記処理受取手段によって受け付けられた処理の実行を禁止することを特徴とする請求項２又は３に記載の画像処理装置。
【請求項５】
複写機、スキャナ、ファクシミリ、インターネットファクシミリ及びネットワークプリンタの少なくとも１の機能を実行可能に構成された画像処理装置と、
前記画像処理装置と通信可能に接続されたサーバ装置とを有する画像処理システムであって、
前記画像処理装置は、
ユーザを識別する情報であるユーザ識別情報を受け付けるユーザ受付手段と、
前記サーバ装置と通信可能な状態であるか否かを判定する通信判定手段と、
画像処理が実行された枚数である処理枚数情報を前記ユーザ識別情報と対応付けて格納する枚数記憶手段と、
前記サーバ装置と通信可能な状態ではないと判定された場合に、前記処理枚数情報を前記ユーザ識別情報と対応付けて枚数記憶手段に格納する枚数処理手段と、
前記サーバ装置と通信可能な状態であると判定された場合に、前記枚数記憶手段に格納された処理枚数情報を前記ユーザ識別情報と対応付けて前記サーバ装置へ送信する枚数送信手段とを備え、
前記サーバ装置は、
前記画像処理装置において画像処理が実行された枚数の積算値である積算枚数情報を、前記ユーザ識別情報と対応付けて格納する枚数記憶手段と、
前記画像処理装置から前記ユーザ識別情報及び処理枚数情報が受信された場合に、受信されたユーザ識別情報に対応する前記枚数記憶手段に格納された積算枚数を、受信された処理枚数と前記積算枚数との加算値に更新する枚数更新手段とを備えることを特徴とする画像処理システム。
【発明の詳細な説明】
【技術分野】
【０００１】
本発明は、画像処理が実行された枚数の積算値である積算枚数をユーザ毎に管理するサーバ装置と通信可能に接続された画像処理装置及び情報処理システムに関するものである。
【背景技術】
【０００２】
複写機等の画像処理装置の普及に伴い、１のフロアに画像処理装置が複数台配設されるようになってきている。このような場合に、課金等の観点から、いずれかの画像処理装置で画像処理が実行された枚数（複写機の場合には、コピー枚数）の積算値である積算枚数をユーザ毎に管理する方法が提案されている。
【０００３】
例えば、画像処理装置と通信可能に接続されたサーバ装置でユーザ毎のコピー枚数の積算値を管理するシステムが提案されている（特許文献１参照）。このシステムでは、画像処理装置で実行された処理実績（ユーザ識別情報及び処理枚数等）がサーバ装置へ伝送され、サーバ装置によって、画像処理が実行された枚数の積算値である積算枚数がユーザ毎に管理されることになる。
【特許文献１】特開２００１−２９７０４５号公報
【発明の開示】
【発明が解決しようとする課題】
【０００４】
しかし、上記システムにおいて、画像処理装置がサーバ装置と、例えば、一時的に通信不可能な状態となった場合には、サーバ装置が画像処理装置で実行された処理実績を把握することができないため、ユーザ毎のコピー枚数の積算値を確実に管理することが困難であるという課題があった。
【０００５】
本発明は、上記課題に鑑みてなされたもので、積算枚数をユーザ毎に確実に管理することの可能な画像処理装置及び情報処理システムを提供することを目的とするものである。
【課題を解決するための手段】
【０００６】
請求項１に記載の画像処理装置は、画像処理が実行された枚数の積算値である積算枚数をユーザ毎に管理するサーバ装置と通信可能に接続された、所定の画像処理を実行する画像処理装置であって、ユーザを識別する情報であるユーザ識別情報を受け付けるユーザ受付手段と、前記サーバ装置と通信可能な状態であるか否かを判定する通信判定手段と、画像処理が実行された枚数である処理枚数情報を前記ユーザ識別情報と対応付けて格納する枚数記憶手段と、前記サーバ装置と通信可能な状態ではないと判定された場合に、前記処理枚数情報を前記ユーザ識別情報と対応付けて枚数記憶手段に格納する枚数処理手段と、前記サーバ装置と通信可能な状態であると判定された場合に、前記枚数記憶手段に格納された処理枚数情報を前記ユーザ識別情報と対応付けて前記サーバ装置へ送信する枚数送信手段とを備えることを特徴としている。
【０００７】
上記の構成によれば、ユーザ受付手段によって、ユーザを識別する情報であるユーザ識別情報が受け付けられ、通信判定手段によって、サーバ装置と通信可能な状態であるか否かが判定される。また、枚数記憶手段に、画像処理が実行された枚数である処理枚数情報がユーザ識別情報と対応付けて格納される。そして、サーバ装置と通信可能な状態ではないと判定された場合に、枚数処理手段によって、処理枚数情報がユーザ識別情報と対応付けて枚数記憶手段に格納され、サーバ装置と通信可能な状態であると判定された場合に、枚数送信手段によって、枚数記憶手段に格納された処理枚数情報がユーザ識別情報と対応付けてサーバ装置へ送信される。
【０００８】
従って、サーバ装置と例えば一時的に通信可能な状態ではないと判定された場合に、処理枚数情報がユーザ識別情報と対応付けて枚数記憶手段に格納されるため、サーバ装置と通信可能な状態ではない期間に処理された処理枚数情報がユーザ識別情報と対応付けて枚数記憶手段に格納される。そして、通信機能が回復してサーバ装置と通信可能な状態であると判定された場合に、枚数記憶手段に格納された処理枚数情報がユーザ識別情報と対応付けてサーバ装置へ送信されるため、サーバ装置と通信可能な状態ではない期間に処理された処理枚数情報及びユーザ識別情報が、通信機能の回復後に、サーバ装置にて利用可能となり、画像処理が実行された枚数の積算値である積算枚数をユーザ毎に確実に管理することが可能となる。
【０００９】
請求項２に記載の画像処理装置は、前記サーバ装置と通信可能な状態であると判定された場合に、前記サーバ装置から前記ユーザ識別情報に対応する積算枚数情報を取得して、前記枚数記憶手段に前記ユーザ識別情報と対応付けて格納する枚数取得手段と、画像処理の実行の指示に応じて画像処理が実行される枚数に関連する実行枚数関連情報を受け取る処理受取手段と、前記積算枚数と前記実行枚数関連情報である枚数との加算値が所定の上限枚数より大きいか否かを判定し、前記所定の上限枚数より大きいと判定された場合に、前記画像処理の実行を禁止する禁止手段とを備えることを特徴としている。
【００１０】
上記の構成によれば、サーバ装置と通信可能な状態であると判定された場合に、枚数取得手段によって、サーバ装置からユーザ識別情報に対応する積算枚数情報が取得されて、枚数記憶手段にユーザ識別情報と対応付けて格納される。そして、処理受取手段によって、画像処理の実行の指示に応じて画像処理が実行される枚数に関連する実行枚数関連情報が受け取られる。更に、禁止手段によって、積算枚数と実行枚数関連情報である枚数との加算値が所定の上限枚数より大きいか否かが判定され、所定の上限枚数より大きいと判定された場合に、画像処理の実行が禁止される。
【００１１】
そこで、サーバ装置から取得された積算枚数と実行枚数関連情報である枚数との加算値が所定の上限枚数より大きいか否かが判定され、所定の上限枚数より大きいと判定された場合に、画像処理の実行が禁止されるため、所定の上限枚数を超える枚数の処理が適正に禁止される。従って、所定の上限枚数を的確に設定することによって、コピー費用等の経費の節減が図られ得る。
【００１２】
なお、処理受取手段、禁止手段としては  画像処理のための枚数が予め判明している状態で、画像処理の実行を指示する態様を考慮して、処理受取手段が、外部から、画像処理の実行の指示を、少なくとも画像処理の実行を指示する枚数である指示枚数を含めて受け取るようにし、禁止手段が、前記積算枚数と前記指示枚数との加算値が所定の上限枚数より大きいか否かを判定し、前記所定の上限枚数より大きいと判定された場合に、前記処理受取手段によって受け取った指示枚数に対する画像処理の実行を禁止するようにしたものも含む。また、特に自動原稿搬送装置を用いて複数枚の原稿を複写する機能を実行する態様では、複写前に原稿台にセットする原稿枚数を予めカウントしておらず、このような場合を考慮して、処理受取手段が、複数枚の原稿の複写における各原稿に対する画像処理の実行を確認し、その枚数を処理枚数として積算するようにし、禁止手段が、前記積算枚数と前記処理枚数との加算値が所定の上限枚数より大きいか否かを判定し、前記所定の上限枚数より大きくなったと判定された時点で、前記処理の実行を禁止するようにしたものも含む。さらに、インターネットファクシミリでの通信を実行する態様では、所定枚数分の受信時に途中まででプリントアウトを中止すること、所定枚数分の送信時に途中までで送信を中止する（例えば自動原稿搬送装置からの送信原稿の読み取り位置への搬送がある枚数で中断してしまう）ことが好ましくないことを考慮して、  処理受取手段が、複数枚の原稿のインターネットファクシミリでの通信における各原稿に対する画像処理の実行を確認し、その枚数を処理枚数として累積するようにし、禁止手段が、前記積算枚数と前記処理枚数との加算値が所定の上限枚数より大きいか否かを判定し、前記送、受信の開始時に前記所定の上限枚数より大きいと判定された場合には、前記処理の実行の開始を禁止し、前記送、受信の開始時に前記所定の上限枚数より少ないと判定され、かつ処理中に前記所定の上限枚数より大きくなったと判定された場合に、当該通信の完了まで前記処理の実行の禁止を延長するようにしたものも含む。
【００１３】
請求項３に記載の画像処理装置は、前記サーバ装置が、前記ユーザ識別情報毎に予め設定され、画像処理の実行を許可する積算枚数の上限値である個別上限枚数情報を有し、前記枚数取得手段は、前記サーバ装置から前記ユーザ識別情報に対応する前記個別上限枚数情報を取得して、取得された個別上限枚数情報を前記ユーザ識別情報と対応付けて枚数記憶手段に格納し、前記禁止手段が、前記所定の上限枚数として、前記個別上限枚数情報を用いることを特徴としている。
【００１４】
上記の構成によれば、サーバ装置に、ユーザ識別情報毎に予め設定され、画像処理の実行を許可する積算枚数の上限値である個別上限枚数情報が保有されている。そして、枚数取得手段によって、サーバ装置からユーザ識別情報に対応する個別上限枚数情報が取得されて、取得された個別上限枚数情報がユーザ識別情報と対応付けて枚数記憶手段に格納される。更に、禁止手段によって、所定の上限枚数として、個別上限枚数情報が用いられる。
【００１５】
従って、ユーザ識別情報に対応すると共に、画像処理の実行を許可する積算枚数の上限値である個別上限枚数情報が所定の上限枚数として用いられるため、積算枚数の上限値として適正な上限枚数が用いられる。
【００１６】
請求項４に記載の画像処理装置は、前記禁止手段が、前記サーバ装置と通信可能な状態ではないと判定された場合に、前記ユーザ識別情報が前記枚数記憶手段に格納されているか否かを判定し、格納されていない場合には、前記処理受取手段によって受け付けられた処理の実行を禁止することを特徴としている。
【００１７】
上記の構成によれば、サーバ装置と通信可能な状態ではないと判定された場合に、禁止手段によって、ユーザ識別情報が枚数記憶手段に格納されているか否かが判定され、格納されていない場合には、処理受取手段により受け付けられた処理の実行が禁止される。
【００１８】
従って、サーバ装置と通信可能な状態ではないと判定され、且つ、ユーザ識別情報が枚数記憶手段に格納されていないと判定された場合には、処理受取手段により受け付けられた処理の実行が禁止されるため、ユーザ識別情報が枚数記憶手段に格納されていないユーザ（すなわち、個別上限枚数情報が格納されていないユーザ）の使用が確実に禁止される。
【００１９】
すなわち、ユーザ識別情報が枚数記憶手段に格納されていないユーザについては、積算枚数を管理することが出来ないため、使用を禁止することによって、上限枚数を超える使用が確実に禁止されるのである。
【００２０】
請求項５に記載の画像処理システムは、複写機、スキャナ、ファクシミリ、インターネットファクシミリ及びネットワークプリンタの少なくとも１の機能を実行可能に構成された画像処理装置と、前記画像処理装置と通信可能に接続されたサーバ装置とを有する画像処理システムであって、前記画像処理装置は、ユーザを識別する情報であるユーザ識別情報を受け付けるユーザ受付手段と、前記サーバ装置と通信可能な状態であるか否かを判定する通信判定手段と、画像処理が実行された枚数である処理枚数情報を前記ユーザ識別情報と対応付けて格納する枚数記憶手段と、前記サーバ装置と通信可能な状態ではないと判定された場合に、前記処理枚数情報を前記ユーザ識別情報と対応付けて枚数記憶手段に格納する枚数処理手段と、前記サーバ装置と通信可能な状態であると判定された場合に、前記枚数記憶手段に格納された処理枚数情報を前記ユーザ識別情報と対応付けて前記サーバ装置へ送信する枚数送信手段とを備え、前記サーバ装置は、前記画像処理装置において画像処理が実行された枚数の積算値である積算枚数情報を、前記ユーザ識別情報と対応付けて格納する枚数記憶手段と、前記画像処理装置から前記ユーザ識別情報及び処理枚数情報が受信された場合に、受信されたユーザ識別情報に対応する前記枚数記憶手段に格納された積算枚数を、受信された処理枚数と前記積算枚数との加算値に更新する枚数更新手段とを備えることを特徴としている。
【００２１】
上記の構成によれば、画像処理装置において、ユーザ受付手段によって、ユーザを識別する情報であるユーザ識別情報が受け付けられ、通信判定手段によって、サーバ装置と通信可能な状態であるか否かが判定される。また、枚数記憶手段に、画像処理が実行された枚数である処理枚数情報がユーザ識別情報と対応付けて格納される。そして、サーバ装置と通信可能な状態ではないと判定された場合に、枚数処理手段によって、処理枚数情報がユーザ識別情報と対応付けて枚数記憶手段に格納され、サーバ装置と通信可能な状態であると判定された場合に、枚数送信手段によって、枚数記憶手段に格納された処理枚数情報がユーザ識別情報と対応付けてサーバ装置へ送信される。
【００２２】
そして、サーバ装置において、枚数記憶手段に、画像処理装置で画像処理が実行された枚数の積算値である積算枚数情報が、ユーザ識別情報と対応付けて格納されている。また、画像処理装置からユーザ識別情報及び処理枚数情報が受信された場合に、枚数更新手段によって、受信されたユーザ識別情報に対応する枚数記憶手段に格納された積算枚数が、受信された処理枚数と積算枚数との加算値に更新される。
【００２３】
従って、例えば一時的に画像処理装置がサーバ装置と通信可能な状態ではないと判定された場合に、処理枚数情報がユーザ識別情報と対応付けて枚数記憶手段に格納されるため、サーバ装置と通信可能な状態ではない期間に処理された処理枚数情報がユーザ識別情報と対応付けて枚数記憶手段に格納される。そして、通信機能が回復して、画像処理装置がサーバ装置と通信可能な状態であると判定された場合に、枚数記憶手段に格納された処理枚数情報がユーザ識別情報と対応付けてサーバ装置へ送信され、サーバ装置では、受信されたユーザ識別情報に対応する枚数記憶手段に格納された積算枚数が、受信された処理枚数と積算枚数との加算値に更新されるため、サーバ装置と通信可能な状態ではない期間に処理された処理枚数情報及びユーザ識別情報が、通信機能の回復後に、サーバ装置にて利用可能となり、画像処理が実行された枚数の積算値である積算枚数をユーザ毎に確実に管理することが可能となる。
【発明の効果】
【００２４】
請求項１、５に記載の発明によれば、サーバ装置と通信可能な状態ではない期間に処理された処理枚数情報及びユーザ識別情報が、通信機能の回復後に、サーバ装置にて利用可能となるため、画像処理が実行された枚数の積算値である積算枚数をユーザ毎に確実に管理することができる。
【００２５】
請求項２に記載の発明によれば、サーバ装置から取得された積算枚数と実行枚数関連情報である枚数との加算値が所定の上限枚数より大きいか否かが判定され、所定の上限枚数より大きいと判定された場合に、画像処理の実行が禁止されるため、所定の上限枚数を超える枚数の処理を適正に禁止できる。
【００２６】
請求項３に記載の発明によれば、ユーザ識別情報に対応すると共に、画像処理の実行を許可する積算枚数の上限値である個別上限枚数情報が所定の上限枚数として用いられるため、積算枚数の上限値として適正な上限枚数を用いることができる。
【００２７】
請求項４に記載の発明によれば、サーバ装置と通信可能な状態ではないと判定され、且つ、ユーザ識別情報が枚数記憶手段に格納されていないと判定された場合には、処理受取手段により受け付けられた処理の実行が禁止されるため、ユーザ識別情報が枚数記憶手段に格納されていないユーザ（すなわち、個別上限枚数情報が格納されていないユーザ）の使用を確実に禁止できる。
【発明を実施するための最良の形態】
【００２８】
本実施形態においては、本発明に係る画像処理装置が、複写機、スキャナ、ファクシミリ、インターネットファクシミリ及びネットワークプリンタの機能を有する複合機である場合について説明する。図１は、本発明に係る画像処理システムの一例を示す構成図である。
【００２９】
サーバ装置５は、ＬＡＮ（ｌｏｃａｌ  Ａｒｅａ  Ｎｅｔｗｏｒｋ）４１を介して複数の複合機１と通信可能に接続されている。そして、複合機１は、公衆電話回線２１を介して複数のファクシミリ２と通信可能に接続されている。また、複合機１は、インターネット（ＷＷＷ）３１を介して複数のクライアント端末装置３と通信可能に接続されている。更に、複合機１は、ＬＡＮ４１を介して複数のクライアント端末装置４と通信可能に接続されている。
【００３０】
サーバ装置５は、複合機１で画像処理（複合機１の有する複写機、スキャナ、ファクシミリ、インターネットファクシミリ及びネットワークプリンタの内のいずれかの機能によって実行される処理）が実行された枚数（例えば、複合機１が複写機としての機能が実行される場合にはコピー枚数）の積算値である積算枚数をユーザ毎に管理するものである。
【００３１】
複合機１がスキャナとして機能する場合には、複合機１は、画像が形成された原稿からスキャナ部１２によって画像を読み取って画像データを生成し、生成された画像データを後述するインターフェイス部１９（図２参照）及びＬＡＮ４１を介してクライアント端末装置４へ送信するものである。
【００３２】
複合機１がファクシミリとして機能する場合には、複合機１は、公衆電話回線２１を介して相手先のファクシミリ２と画像データの通信を行い、画像データを送信する際には、後述するスキャナ部１２（図２参照）から原稿の画像データを読み込み、後述するファクシミリ通信部１７（図２参照）及び公衆電話回線２１を介して各原稿頁の画像データをファクシミリ２に送信し、画像データを受信する際には、ファクシミリ２からの各頁の画像データをファクシミリ通信部１７及び公衆電話回線２１を介して受信し、後述するプリンタ部１３によって記録用紙上に画像を形成するものである。
【００３３】
複合機１がインターネットファクシミリとして機能する場合には、複合機１は、インターネット３１を介して複数のクライアント端末装置３と画像データの通信を行い、画像データを送信する際には、後述するスキャナ部１２（図２参照）から原稿の画像データを読み込み、後述するインターフェイス部１８（図２参照）及びインターネット３１を介して各原稿頁の画像データをクライアント端末装置３に送信し、画像データを受信する際には、クライアント端末装置３からの各頁の画像データをインターフェイス部１８及びインターネット３１を介して受信し、後述するプリンタ部１３（図２参照）によって記録用紙上に画像を形成するものである。
【００３４】
複合機１がネットワークプリンタとして機能する場合には、複合機１は、ＬＡＮ４１及びインターフェイス部１９（図２参照）を介してクライアント端末装置４から各頁の画像データの受信し、後述するプリンタ部１３（図２参照）によって記録用紙上に画像を形成するものである。なお、複合機１が複写機として機能する場合には、複合機１は、後述するスキャナ部１２（図２参照）から原稿の画像データを読み込み、後述するプリンタ部１３によって記録用紙上に画像を形成するものである。
【００３５】
図２は、複合機１の一例を示す構成図である。複合機１は、複合機１全体の動作を制御する制御部１１と、原稿画像を読み取り画像データを形成するスキャナ部１２と、画像データから画像を記録用紙に形成するプリンタ部１３と、タッチパネル等からなりユーザの操作を受け付ける操作部１４と、ＬＣＤ（Ｌｉｑｕｉｄ  Ｃｒｙｓｔａｌ  Ｄｉｓｐｌａｙ）等からなり操作のガイダンス情報等を表示する表示部１５と、画像データを格納する画像メモリ１６と、ファクシミリ２との画像データの送受信処理を行うファクシミリ通信部１７と、クライアント端末装置３との画像データの送受信処理を行うインターフェイス部１８と、クライアント端末装置４との画像データの送受信処理を行うインターフェイス部１９とを備えている。
【００３６】
制御部１１は、ＣＰＵ（Ｃｅｎｔｒａｌ  Ｐｒｏｃｅｓｓｉｎｇ  Ｕｎｉｔ）、表示部１５に表示される各種の画像情報及び制御プログラム等を格納するＲＯＭ（Ｒｅａｄ  Ｏｎｌｙ  Ｍｅｍｏｒｙ）、処理データを一時的に格納するＲＡＭ（Ｒａｎｄｏｍ  Ａｃｃｅｓｓ  Ｍｅｍｏｒｙ）等を備え、操作部１４からユーザの操作情報を受け付けて複合機１全体の動作を制御するものである。
【００３７】
スキャナ部１２は、原稿載置部（図示省略）にセットされた原稿を読み取り、ライン単位で画像信号に変換し、この画像信号に所定の信号処理（レベル補正、γ補正、Ａ／Ｄ変換等）を施して、順次制御部１１に出力することによって、スキャナ機能を発揮するものである。
【００３８】
プリンタ部１３は、画像データを記録用紙にプリントアウトすることによってプリンタ機能（又はコピー機能）を発揮するものである。このプリンタ部１３は、例えば、レーザプリンタ等からなり、画像データで変調されたレーザ光を感光体に照射して当該画像データからなる画像の潜像を形成するとともに、この潜像にトナーを静電的に付着して顕在化し、この顕像を記録用紙に転写して画像を形成するものである。
【００３９】
操作部１４は、例えば、テンキー、タッチパネル等からなり、ユーザの操作を受け付けるものである。このタッチパネルは公知の物が採用可能である。例えば、タッチパネルは、長方形状をした薄層体で、縦横にそれぞれ所定ピッチで線状の透明材からなる感圧素材を配列したものを透明カバーで被覆する等により構成されたもので、表示部１５の上面に貼付されている。そして、タッチパネルは表示部１５の画面に表示される選択などを促すボタンのアドレスと押圧位置とからいずれのボタンが指示されたかが判定し得るようにしている。
【００４０】
表示部１５は、ＬＣＤ及びＬＥＤ（Ｌｉｇｈｔ  Ｅｍｉｔｔｅｄ  Ｄｉｏｄｅ）等から構成され、公衆電話回線２１の接続状態、画像情報等の送受信状態等の各種状態や画像データの送信先の情報（ＦＡＸ  Ｎｏ．）等を文字情報、画像情報でＬＣＤに表示するとともに、通信エラーの有無及びメンテナンスの要否等をＬＥＤに表示するものである。
【００４１】
画像メモリ１６は、画像データ等を格納するものであって、例えば、Ａ４サイズの標準原稿に対応する画像データを所定枚数、例えば略１００枚記憶することができる大容量メモリである。
【００４２】
ファクシミリ通信部１７は、複合機１がファクシミリとして機能する場合に、公衆電話回線２１を介してファクシミリ２と画像データの送受信処理を行うものであって、符号化／復号化部１７１、変復調部１７２及び網制御部１７３を備えている。符号化／復号化部１７１は、送信すべき画像データの圧縮及び符号化を行うとともに、受信した画像データの伸長及び復号化を行うものである。変復調部１７２は、圧縮／符号化された画像データの音声信号への変調及び受信した信号（音声信号）の画像データへの復調を行うものである。網制御部１７３は、ＮＣＵ（Ｎｅｔｗｏｒｋ  Ｃｏｎｔｒｏｌ  Ｕｎｉｔ）に相当し、送受信相手であるファクシミリ２との公衆電話回線２１の接続を制御するものである。
【００４３】
インターフェイス部１８は、複合機１がインターネットファクシミリとして機能する場合に、クライアント端末装置３との画像データの送受信処理を行うものである。インターフェイス部１９は、複合機１がネットワークプリンタとして機能する場合に、クライアント端末装置４との画像データ等の送受信処理を行うものである。
【００４４】
図３は、制御部１１の一例を示す機能構成図である。制御部１１のＣＰＵ１１１は、機能的に、ユーザの識別情報（ここでは、ユーザＩＤである）を受け付けるユーザ受付部１１１ａ（ユーザ受付手段に相当する）と、サーバ装置５と通信可能な状態であるか否かを判定する通信可否判定部１１１ｂ（通信判定手段に相当する）と、サーバ装置５からユーザＩＤに対応する積算枚数情報を取得する枚数取得部１１１ｃ（枚数取得手段に相当する）と、後述する所定の条件を満たす場合にジョブ実行部１１１ｅの画像処理の実行を禁止する禁止部１１１ｄ（禁止手段に相当する）と、画像処理の実行の指示を受け付けて対応する画像処理を実行するジョブ実行部１１１ｅ（処理受取手段に相当する）と、処理枚数情報をユーザＩＤと対応付けて後述する枚数記憶部１１２ｂに格納する枚数処理部１１１ｆ（枚数処理手段に相当する）と、後述する枚数記憶部１１２ｂに格納された処理枚数情報をユーザＩＤと対応付けてサーバ装置５へ送信する枚数送信部１１１ｇ（枚数送信手段に相当する）とを備えている。
【００４５】
制御部１１のＨＤＤ１１２は、機能的に、登録ユーザの情報を格納するユーザ記憶部１１２ａと、処理枚数情報をユーザＩＤと対応付けて格納する枚数記憶部１１２ｂとを備えている。
【００４６】
ここでは、ＣＰＵ１１１が、ＲＯＭ等に予め格納された制御プログラムを読み出して実行することにより、ユーザ受付部１１１ａ、通信可否判定部１１１ｂ、枚数取得部１１１ｃ、禁止部１１１ｄ、ジョブ実行部１１１ｅ、枚数処理部１１１ｆ、枚数送信部１１１ｇ、ユーザ記憶部１１２ａ及び枚数記憶部１１２ｂを含む機能部として機能するものである。
【００４７】
また、ＨＤＤ１１２、ＲＯＭに格納された各種データのうち装着脱可能な記録媒体に格納され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００４８】
ユーザ受付部１１１ａは、操作部１４及び表示部１５を介してユーザＩＤを受け付けて、受け付けたユーザＩＤが、登録済みのユーザである登録ユーザとしてユーザ記憶部１１２ａに格納されているユーザＩＤと一致するか否かを判定するものである。
【００４９】
通信可否判定部１１１ｂは、ｐｉｎｇ（ｐａｃｋｅｔ  ｉｎｔｅｒｎｅｔ  ｇｒｏｐｅｒ）をサーバ装置５に対して送信し、返信の状態によってサーバ装置５との間の通信可否を判定するものである。
【００５０】
枚数取得部１１１ｃは、サーバ装置５と通信可能な状態であると通信可否判定部１１１ｂによって判定された場合に、ユーザ受付部１１１ａによって受け付けられたユーザＩＤに対応する積算枚数情報をサーバ装置５から取得して、枚数記憶部１１２ｂにユーザＩＤと対応付けて格納するものである。
【００５１】
また、枚数取得部１１１ｃは、サーバ装置５と通信可能な状態であると通信可否判定部１１１ｂによって判定された場合に、サーバ装置５からユーザＩＤ毎に設定された画像処理の実行を許可する積算枚数の上限値である個別上限枚数情報を取得して、取得された個別上限枚数情報をユーザＩＤと対応付けて枚数記憶部１１２ｂに格納するものである。
【００５２】
なお、例えば、個別上限枚数情報が１ヶ月毎に設定される（更新される）場合には、枚数取得部１１１ｃは、所定期間毎、好ましくは各月の所定日時に（例えば、１日の午前０時に）１回だけ個別上限枚数情報を、内蔵カレンダー機能を利用して自動的に、あるいはマニュアル設定を介して取得すればよい。
【００５３】
禁止部１１１ｄは、枚数記憶部１１２ｂに格納された積算枚数と、本実施形態ではジョブ実行部１１１ｅによって受け付けられた指示枚数との加算値が所定の上限枚数より大きいか否かを判定し、所定の上限枚数より大きいと判定された場合に、ジョブ実行部１１１ｅによって受け付けられた処理の実行を禁止するものである。ここでは、所定の上限枚数は、枚数取得部１１１ｃによって取得され、ユーザ受付部１１１ａによって受け付けられたユーザＩＤに対応する個別上限枚数である。
【００５４】
また、禁止部１１１ｄは、ユーザ受付部１１１ａによって受け付けられたユーザＩＤに対応する個別上限枚数及び積算枚数が枚数記憶部１１２ｂに格納されていない場合には、ジョブ実行部１１１ｅによって受け付けられた処理の実行を禁止するものである。
【００５５】
ジョブ実行部１１１ｅは、画像処理の実行を指示する枚数である指示枚数を含む画像処理の実行の指示を受け付け、指示された画像処理を実行するものである。また、禁止部１１１ｄによって、画像処理の実行が禁止された場合には、ジョブ実行部１１１ｅは、画像処理の実行を中止するものである。
【００５６】
例えば、複合機１が複写機として機能する場合には、ジョブ実行部１１１ｅは、操作部１４を介して画像処理（ここでは、コピー）の実行の指示を受け付けるものであり、複合機１がネットワークプリンタとして機能する場合には、ジョブ実行部１１１ｅは、ＬＡＮ４１及びインターフェイス部１９を介してクライアント端末装置４から画像処理（ここでは、プリント）の実行の指示を受け付けるものである。
【００５７】
枚数処理部１１１ｆは、ジョブ実行部１１１ｅによって画像処理が実行された枚数である処理枚数情報を、ユーザ受付部１１１ａによって受け付けられたユーザＩＤと対応付けて枚数記憶部１１２ｂに格納するものである。
【００５８】
また、枚数処理部１１１ｆは、枚数記憶部１１２ｂに格納されている積算枚数と、ジョブ実行部１１１ｅによって画像処理が実行された枚数である処理枚数との加算値を、新たな積算枚数として枚数記憶部１１２ｂに格納する（すなわち、積算枚数を更新する）ものである。
【００５９】
枚数送信部１１１ｇは、通信可否判定部１１１ｂによってサーバ装置５と通信可能な状態であると判定された場合に、枚数記憶部１１２ｂに格納された処理枚数情報をユーザＩＤと対応付けてサーバ装置５へ送信するものであり、かつサーバ装置５で受信されると枚数記憶部１１２ｂ内の処理枚数情報を値０にクリアするものである。
【００６０】
ユーザ記憶部１１２ａは、登録済みのユーザである登録ユーザに対応するユーザＩＤを格納するものである。枚数記憶部１１２ｂは、枚数処理部１１１ｆによって求められた処理枚数情報と、枚数処理部１１１ｆによって求められた積算枚数情報と、枚数取得部１１１ｃによってサーバ装置５から取得された個別上限枚数とをユーザＩＤと対応付けて格納するものである（図５参照）。
【００６１】
図４は、サーバ装置５の制御部の一例を示す機能構成図である。制御部５１のＣＰＵ５１１は、機能的に、複合機１からの要求に応じてユーザＩＤに対応する積算枚数情報及び個別上限枚数情報を送信する枚数送信部５１１ａと、複合機１からユーザＩＤ及び処理枚数情報が受信された場合に、受信されたユーザＩＤに対応する枚数記憶部５１２ａに格納された積算枚数を、受信された処理枚数と現積算枚数との加算値に更新する枚数更新部５１１ｂとを備えている。
【００６２】
制御部５１のＨＤＤ５１２は、機能的に、積算枚数情報と個別上限枚数とをユーザＩＤと対応付けて格納する枚数記憶部５１２ａを備えている。
【００６３】
ここでは、ＣＰＵ５１１が、ＲＯＭ等に予め格納された制御プログラムを読み出して実行することにより、枚数送信部５１１ａ、枚数更新部５１１ｂ及び枚数記憶部５１２ａを含む機能部として機能するものである。
【００６４】
また、ＨＤＤ５１２、ＲＯＭに格納された各種データのうち装着脱可能な記録媒体に格納され得るデータは、例えば光ディスクドライブ、フレキシブルディスクドライブ、シリコンディスクドライブ、カセット媒体読み取り機等のドライバで読み取り可能にしてもよく、この場合、記録媒体は、例えば光ディスク、フレキシブルディスク、ＣＤ、ＤＶＤ、半導体メモリ等である。
【００６５】
枚数送信部５１１ａは、複合機１（具体的には、図３に示す枚数取得部１１１ｃ）からの要求に応じて、要求されたユーザＩＤに対応する積算枚数情報及び個別上限枚数情報を、枚数記憶部５１２ａから読み出して送信するものである。
【００６６】
枚数更新部５１１ｂは、複合機１（具体的には、図３に示す枚数送信部１１１ｇ）からユーザＩＤ及び処理枚数情報が受信された場合に、受信されたユーザＩＤに対応する枚数記憶部５１２ａに格納された積算枚数を、受信された処理枚数と現積算枚数との加算値に更新するものである。枚数記憶部５１２ａは、積算枚数情報と個別上限枚数とをユーザＩＤと対応付けて格納するものである。
【００６７】
図５は、図３に示す枚数記憶部１１２ｂに格納された情報の一例を示す図表である。図に示すように、枚数記憶部１１２ｂには、ユーザＩＤ６１０に対応付けて、画像処理の実行を許可する積算枚数の上限値である個別上限枚数６２０と、画像処理が実行された枚数を積算した積算枚数６３０と、画像処理が実行された枚数である処理枚数６４０と、処理枚数６４０の最新の更新の日時である更新日時６５０と、処理枚数６４０がサーバ装置５へ送信されたか否かを示すフラグである未送信フラグ６６０とが格納されている。
【００６８】
ここで、個別上限枚数６２０、積算枚数６３０及び処理枚数６４０は、図８を用いて後述する複数の（ここでは、８つの）区分に分類されている。また、未送信フラグ６６０は、枚数処理部１１１ｆによって処理枚数６４０が枚数記憶部１１２ｂに格納された際に「１」とされ（フラグが立てられ）、枚数送信部１１１ｇによって処理枚数６４０及び積算枚数６３０がサーバ装置５へ送信された際に「０」とされ（フラグが倒され）るものである。すなわち、未送信フラグ６６０は、サーバ装置５へ送信するべきデータであるか否かを示している。
【００６９】
図６は、制御部１１の動作を説明するフローチャートの一例である。まず、ユーザ受付部１１１ａによって、登録済みのユーザのユーザＩＤが受け付けられたか否かの判定が行われる（ステップＳ１０１）。登録済みのユーザのユーザＩＤが受け付けられていないと判定された場合（ステップＳ１０１でＮＯ）には、処理が待機状態とされる。登録済みのユーザのユーザＩＤが受け付けられたと判定された場合（ステップＳ１０１でＹＥＳ）には、通信可否判定部１１１ｂによって、サーバ装置５との間の通信可否の判定が行われる（ステップＳ１０３）。
【００７０】
通信可能であると判定された場合（ステップＳ１０３でＹＥＳ）には、枚数取得部１１１ｃによって、ステップＳ１０１で受け付けられたユーザＩＤに対応する積算枚数情報及び個別上限枚数情報がサーバ装置５から取得されて、枚数記憶部１１２ｂにユーザＩＤと対応付けて格納される（ステップＳ１０５）。
【００７１】
通信可能ではないと判定された場合（ステップＳ１０３でＮＯ）には、禁止部１１１ｄによって、ステップＳ１０１で受け付けられたユーザＩＤに対応する積算枚数及び個別上限枚数が枚数記憶部１１２ｂに格納されているか否かの判定が行われる（ステップＳ１０７）。格納されていないと判定された場合には、禁止部１１１ｄによって、表示部１５に、ユーザＩＤに対応する個別上限枚数が枚数記憶部１１２ｂに格納されていないため画像処理の実行が禁止されている旨のメッセージが表示されて（ステップＳ１０９）、処理が終了される。
【００７２】
ステップＳ１０５の処理が完了した場合、又は、ステップＳ１０７でＹＥＳの場合には、ジョブ実行部１１１ｅによって、画像処理の実行を指示する枚数である指示枚数を含む画像処理の指示（ここでは、ジョブという）が受け付けられる（ステップＳ１１１）。そして、禁止部１１１ｄによって、枚数記憶部１１２ｂに格納された積算枚数と、ジョブ実行部１１１ｅによって受け付けられた指示枚数との加算値が個別上限枚数以下か否かが判定される（ステップＳ１１３）。
【００７３】
個別上限枚数より大きいと判定された場合（ステップＳ１１３でＮＯ）には、禁止部１１１ｄによって、表示部１５に、個別上限枚数を超えるため画像処理の実行が禁止されている旨のメッセージが表示されて（ステップＳ１１５）、処理が終了される。個別上限枚数以下であると判定された場合（ステップＳ１１３でＹＥＳ）には、ステップＳ１１１で受け付けられたジョブがジョブ実行部１１１ｅによって実行される（ステップＳ１１７）。
【００７４】
そして、ジョブ実行部１１１ｅによって、ジョブが完了したか否かの判定が行われる（ステップＳ１１９）。ジョブが完了していないと判定された場合（ステップＳ１１９でＮＯ）には、処理がステップＳ１１７に戻され、ジョブが継続して実行される。ジョブが完了したと判定された場合（ステップＳ１１９でＹＥＳ）には、処理枚数が枚数記憶部１１２ｂに格納されて、未送信フラグ６６０が立てられ（ステップＳ１２１）、次いで、枚数処理部１１１ｆによって、枚数記憶部１１２ｂに格納されている積算枚数と、ステップＳ１１７で画像処理が実行された枚数である処理枚数との加算値が、新たな積算枚数として枚数記憶部１１２ｂに格納される（すなわち、積算枚数が更新される）（ステップＳ１２３）。
【００７５】
そして、通信可否判定部１１１ｂによって、サーバ装置５との間の通信可否が判定される（ステップＳ１２５）。通信可能ではないと判定された場合（ステップＳ１２５でＮＯ）には、処理が終了される。通信可能であると判定された場合（ステップＳ１２５でＹＥＳ）には、枚数送信部１１１ｇによって、枚数記憶部１１２ｂに格納された処理枚数情報及び積算枚数情報がユーザＩＤと対応付けてサーバ装置５へ送信され（ステップＳ１２７）、処理が終了される。
【００７６】
図７は、図６に示すフローチャートのステップＳ１０５で実行される枚数取得処理の一例を示す詳細フローチャートである。なお、以下の処理は、全て枚数取得部１１１ｃによって行われる。まず、図６のステップＳ１０１で受け付けられたユーザＩＤに対応する積算枚数情報及び個別上限枚数情報がサーバ装置５から取得される（ステップＳ２０１）。そして、枚数記憶部１１２ｂに１ユーザ分の図５に示す情報を格納するだけの充分な空き容量が有るか否かの判定が行われる（ステップＳ２０３）。
【００７７】
空き容量があると判定された場合（ステップＳ２０３でＹＥＳ）には、処理がステップＳ２０７に進められる。空き容量がないと判定された場合（ステップＳ２３０でＮＯ）には、図５に示す更新日時６５０の最も古い１のユーザに対応する情報が削除される（ステップＳ２０５）。そして、ステップＳ２０５の処理が完了した場合、及び、ステップＳ２０３でＹＥＳの場合には、図６のステップＳ１０１で受け付けられたユーザＩＤに対応する積算枚数情報及び個別上限枚数情報が枚数記憶部１１２ｂに書き込まれ（ステップＳ２０７）、処理が終了される。
【００７８】
図８は、図６に示すフローチャートのステップＳ１２３で実行される枚数更新処理の一例を示す詳細フローチャート及び図表である。（ａ）は、詳細フローチャートであり、（ｂ）は、画像処理の区分を示す図表である。なお、（ａ）に示す処理は、全て枚数処理部１１１ｆによって行われる。
【００７９】
（ｂ）に示すように、画像処理の内容は、区分１〜区分８の８つの区分に分類されている。そして、枚数記憶部１１２ｂには、区分毎に積算枚数情報及び個別上限枚数情報が格納される。例えば、区分１は、複合機１がカラーコピーをする複写機として機能する場合の区分であり、区分４は、複合機１がモノクロ（ここでは、白黒）プリントをするネットワークプリンタとして機能する場合の区分である。
【００８０】
（ａ）に示すように、まず、図６に示すステップＳ１１９で実行されたジョブが（ｂ）に示すどの区分に分類されるか判定される（ステップＳ３０１）。そして、枚数記憶部１１２ｂに格納され、ステップＳ３０１で判定された区分に対応する積算枚数と、ステップＳ１１７で画像処理が実行された枚数である処理枚数との加算値が、ステップＳ３０１で判定された区分に対応する新たな積算枚数として枚数記憶部１１２ｂに格納され（ステップＳ３０３）、処理が終了される。
【００８１】
図９は、図６に示すフローチャートのステップＳ１２７で実行される枚数送信処理の一例を示す詳細フローチャートである。なお、以下の処理は、全て枚数送信部１１１ｇによって行われる。まず、図５に示す枚数記憶部１１２ｂに格納された未送信フラグ６６０を参照して、サーバ装置５へ送信されていない情報（以下、未送信情報という）が抽出される（ステップＳ４０１）。そして、枚数記憶部１１２ｂに格納された未送信情報の内、１のユーザに対応するユーザＩＤ６１０、処理枚数６４０がサーバ装置５へ送信される（ステップＳ４０５）。
【００８２】
そして、サーバ装置５から、更新が完了した旨の情報が受信されたか否かの判定が行われる（ステップＳ４０７）。受信されていないと判定された場合（ステップＳ４０７でＮＯ）には、処理が待機状態とされる。受信されたと判定された場合（ステップＳ４０７でＹＥＳ）には、ステップＳ４０５で送信されたユーザＩＤ６１０に対応する未送信フラグ６６０が倒され（「０」にされ）、併せて処理枚数６４０が値０にクリアされる（ステップＳ４０９）。更に、枚数記憶部１１２ｂに未送信情報が有るか否かの判定が行われる（ステップＳ４１１）。そして、未送信情報が有ると判定された場合（ステップＳ４１１でＹＥＳ）には、処理がステップＳ４０１に戻され、別のユーザの未送信情報が抽出され、ステップＳ４０３以下の処理が繰り返し実行される。未送信情報が無いと判定された場合（ステップＳ４１１でＮＯ）には、処理が終了される。
【００８３】
このようにして、サーバ装置５と通信可能な状態ではないと判定された場合に、処理枚数情報がユーザＩＤ６１０と対応付けて枚数記憶部１１２ｂに格納されるため、サーバ装置５と通信可能な状態ではない期間に、１回又は複数回分の各画像処理の実行され、その都度の各処理枚数がクリアされることなく蓄積された処理枚数６４０がユーザＩＤ６１０と対応付けて枚数記憶部１１２ｂに格納される。そして、サーバ装置５と通信可能な状態であると判定された場合に、枚数記憶部１１２ｂに格納された処理枚数６４０がユーザＩＤと対応付けてサーバ装置５へ送信されるため、サーバ装置５と通信可能な状態ではない期間に処理された処理枚数６４０及びユーザＩＤ６１０がサーバ装置５にて利用可能となり、画像処理が実行された枚数の積算値である積算枚数をユーザ毎に確実に管理することが可能となる。
【００８４】
また、サーバ装置５から取得された積算枚数６３０と外部から画像処理の実行が指示された指示枚数との加算値が個別上限枚数６２０より大きいか否かが判定され、個別上限枚数６２０より大きいと判定された場合に、ジョブ実行部１１１ｅによって受け付けられた処理の実行が禁止されるため、個別上限枚数６２０を超える枚数の処理が確実に禁止される。従って、個別上限枚数６２０を的確に設定することによって、コピー費用等の経費の節減が図られ得る。
【００８５】
サーバ装置５と通信可能な状態ではないと判定され、且つ、ユーザＩＤ６１０が枚数記憶部１１２ｂに格納されていないと判定された場合には、ジョブ実行部１１１ｅにより受け付けられた処理の実行が禁止されるため、ユーザＩＤ６１０が枚数記憶部１１２ｂに格納されていないユーザ（すなわち、個別上限枚数６２０が格納されていないユーザ）の使用が確実に禁止される。
【００８６】
すなわち、ユーザＩＤ６１０が枚数記憶部１１２ｂに格納されていないユーザについては、積算枚数６３０を管理することが出来ないため、使用を禁止することによって、上限枚数を超える使用が確実に禁止されるのである。
【００８７】
なお、本発明は、以下の形態にも適用可能である。
【００８８】
（Ａ）本実施形態では、画像処理装置が複写機、スキャナ、ファクシミリ、インターネットファクシミリ及びネットワークプリンタの機能を有する複合機１である場合について説明したが、複写機、ファクシミリ、インターネットファクシミリ及びネットワークプリンタの内、少なくともいずれか１つの機能を有する画像処理装置である形態でもよい。
【００８９】
（Ｂ）本実施形態では、枚数記憶部１１２ｂが積算枚数６３０と、処理枚数６４０とを格納する場合について説明したが、枚数記憶部１１２ｂが積算枚数６３０及び処理枚数６４０の少なくとも一方を格納する形態でもよい。この場合には、枚数記憶部１１２ｂの容量が削減されると共に、枚数処理部１１１ｆ、枚数送信部１１１ｇ等の処理が簡略化される。 また、サーバ装置５も積算枚数６３０を枚数記憶部５１２ａに更新するのみですみ、いずれにしても実質的に処理した枚数情報が複合機１、サーバ装置５で同様に管理可能となる。
【００９０】
（Ｃ）本実施形態では、通信可否判定部１１１ｂが、ｐｉｎｇを用いてサーバ装置５との間の通信可否を判定する場合について説明したが、その他の方法によりサーバ装置５との間の通信可否を判定する形態でもよい。例えば、複合機１にサーバ装置５と通信するための通信線が正常に接続されているか否かによって通信可否を判定する形態でもよい。この場合には、簡便に通信可否が判定される。
【００９１】
（Ｄ）本実施形態では、通信可否判定部１１１ｂが、ジョブを実行する前後のタイミングでサーバ装置５との間の通信可否を判定する場合について説明したが、その他のタイミングでサーバ装置５との間の通信可否を判定する形態でもよい。例えば、所定時間毎（例えば、１秒毎）に通信可否を判定する形態でもよい。
【００９２】
（Ｅ）本実施形態では、禁止部１１１ｄが、枚数記憶部１１２ｂに格納された積算枚数と、ジョブ実行部１１１ｅによって受け付けられた指示枚数との加算値が個別上限枚数より大きいか否かを判定する場合について説明したが、禁止部１１１ｄが、予め設定された所定の上限枚数より大きいか否かを判定する形態でもよい。
【００９３】
例えば、所定の上限枚数は、所定期間毎、例えば各月の上限枚数が一律に設定されている形態でもよい。この場合には、処理が簡略化される。なお、各月の上限枚数を一律に設定する場合には、サーバ装置５が暦データを含むカレンダー機能を有し、月初に各月の上限枚数を設定する形態でもよい。
【００９４】
（Ｆ）本実施形態では、枚数記憶部１１２ｂが、８つの区分毎に積算枚数６３０と、個別上限枚数６２０とを格納する場合について説明したが、区分数は８に限定されるものではなく、１以上の適当な区分数であればよい。例えば、複合機１の機能毎に区分に分類する形態でもよい。
【００９５】
（Ｇ）本実施形態では、禁止部１１１ｄが、枚数記憶部１１２ｂに格納された積算枚数と、ジョブ実行部１１１ｅによって受け付けられた指示枚数との加算値が個別上限枚数より大きいか否かを判定する場合について説明したが、複合機１のスキャナ部１２が例えば原稿を１枚ずつコンタクトガラス上に載置する態様では、複写時等、予め画像処理枚数を指示枚数として入力する構成も考えられるが、スキャナ部１２は任意の複数枚の原稿を載置可能な態様では、必ずしも指示枚数（載置原稿の枚数）を予め数えて入力する必要がない。この態様のスキャナ部１２は、原稿載置台と、原稿載置台に載置された原稿の最上位又は最下位の原稿から一枚ずつ順次繰り出して、ライン状のフォトセンサと対面する原稿読み取り位置に搬送し、読み取り後の原稿を所定位置まで搬出する搬送系とを備えた自動原稿搬送装置からなるものであり、搬送路の途中適所に搬送中の原稿に可動腕が当接する機械式スイッチや原稿面に投射した光の反射量を検知するフォトセンサなどの原稿センサを配置し、このセンサからの原稿１枚毎のパルス状検出信号を逐次加算累計することで原稿枚数（画像処理枚数）の情報を受け取ることを可能にしている。
【００９６】
すなわち、ジョブ実行部１１１ｅは、複数枚の原稿の複写における各原稿に対する画像処理の実行を確認し、その枚数を処理枚数として積算するようにし、禁止部１１１ｄは、前記積算枚数と前記処理枚数との加算値が所定の上限枚数より大きいか否かを判定し、前記所定の上限枚数より大きくなったと判定された時点で、前記処理の実行を禁止するようにしてもよい。これによっても、画像処理枚数を所定の上限枚数に制限することが可能となる。なお、原稿センサに代えて、原稿画像が転写される記録紙の処理枚数を計数可能なセンサを記録紙搬送路途中適所に配置し、前記原稿と同様な原理によりパルス状検出信号を得、あるいはプリンタ部１３の画像形成のための動作回数等を利用して画像処理枚数をカウントするようにしてもよい。この場合には、本発明は、ネットワークプリンタにも適用できる。
【００９７】
（Ｈ）本実施形態では、禁止部１１１ｄが、枚数記憶部１１２ｂに格納された積算枚数と、ジョブ実行部１１１ｅによって受け付けられた指示枚数との加算値が個別上限枚数より大きいか否かを判定する場合について説明したが、複合機１がインターネットファクシミリとして機能する場合においては、通信（送信、受信）の途中で所定の上限枚数に達したとして通信を中止し、あるいは受信は行ってもプリント出力を所定の上限枚数に達した時点で止めたり、また送信時に前記スキャナ部１２の自動原稿搬送装置に対して所定の上限枚数に達した時点で送信原稿の原稿読み取り位置への搬出を止めたりすることは好ましくない。そこで、ジョブ実行部１１１ｅは、複数枚の原稿のインターネットファクシミリでの通信における各原稿に対する画像処理の実行毎に枚数（送信時には、スキャナ部１２で読み取った原稿枚数、受信時にはプリンタ部１３でのプリント枚数）を受け取り、受け取った枚数を累積して処理枚数とし、禁止部１１１ｄは、前記積算枚数と前記処理枚数との加算値が所定の上限枚数より大きいか否かをその都度判定し、前記送、受信の開始時に前記所定の上限枚数より大きいと判定された場合には、前記通信を含めて処理の実行の開始を禁止し、前記送、受信の開始時に前記所定の上限枚数より少ないと判定され、かつ処理中に前記所定の上限枚数より大きくなったと判定された場合に、当該通信が完了するまで処理の実行の禁止を延長するようにしてもよい。このようにすることで、通信途中の、ある原稿で、送信時に原稿読み取りが中止されたり、受信時にプリント動作が中止されることがなく、過誤通信等がなくなる。
【００９８】
このように、本発明は、本実施形態や態様（Ｇ）、（Ｈ）に示されるように、ジョブ実行部１１１ｅが、画像処理の実行に応じて画像処理が実行される枚数に関連する実行枚数関連情報を受け取る処理受取手段として機能し、禁止部１１１ｄが、前記積算枚数と前記実行枚数関連情報である枚数との加算値が所定の上限枚数より大きいか否かを判定し、前記所定の上限枚数より大きいと判定された場合に、前記画像処理の実行を禁止する禁止手段として機能すればよい。
【図面の簡単な説明】
【００９９】
【図１】本発明に係る画像処理システムの一例を示す構成図である。
【図２】複合機の一例を示す構成図である。
【図３】制御部の一例を示す機能構成図である。
【図４】サーバ装置の制御部の一例を示す機能構成図である。
【図５】図３に示す枚数記憶部に格納された情報の一例を示す図表である。
【図６】制御部の動作を説明するフローチャートの一例である。
【図７】図６に示すフローチャートのステップＳ１０５で実行される枚数取得処理の一例を示す詳細フローチャートである。
【図８】図６に示すフローチャートのステップＳ１２３で実行される枚数更新処理の一例を示す詳細フローチャート及び図表である。
【図９】図６に示すフローチャートのステップＳ１２７で実行される枚数送信処理の一例を示す詳細フローチャートである。
【符号の説明】
【０１００】
１  複合機
１１  制御部
１１１  ＣＰＵ
１１１ａ  ユーザ受付部（ユーザ受付手段）
１１１ｂ  通信可否判定部（通信判定手段）
１１１ｃ  枚数取得部（枚数取得手段）
１１１ｄ  禁止部（禁止手段）
１１１ｅ  ジョブ実行部（処理受取手段）
１１１ｆ  枚数処理部（枚数処理手段）
１１１ｇ  枚数送信部（枚数送信手段）
１１２  ＨＤＤ
１１２ａ  ユーザ記憶部
１１２ｂ  枚数記憶部（枚数記憶手段）
【図１】
2007018123.tif 000003
【図２】
2007018123.tif 000004
【図３】
2007018123.tif 000005
【図４】
2007018123.tif 000006
【図５】
2007018123.tif 000007
【図６】
2007018123.tif 000008
【図７】
2007018123.tif 000009
【図８】
2007018123.tif 000010
【図９】
2007018123.tif 000011